(57)【要約】【課題】  コンパクトで携帯性に優れているうえ、机上でも滑らずに安心して使用できること。【解決手段】  入力部が設けられ、平面Ｓ上に載置される第１のケース本体２と、入力された情報を表示する表示パネルが設けられた第２のケース本体３と、第１のケース本体側に配置された状態で該両ケース本体を開閉可能に連結すると共に、第２のケース本体を一定角度以上開いたときに第１のケース本体の下面側に潜り込ませるように回転させるヒンジ部４と、第１のケース本体に複数固定されたメイン滑り止め部材３０と、第２のケース本体が一定角度開いたときに、平面に接触するように該ケース本体に固定されたサブ滑り止め部材３１と、を備え、該サブ滑り止め部材が、第２のケース本体が一定角度からそれ以上の角度で開いている間、メイン滑り止め部材と共に常時平面に接触している折り畳み式携帯用電子機器１を提供する。【選択図】  図１１
2009181280.tif 000002
【特許請求の範囲】
【請求項１】
入力部が設けられ、平面上に載置される第１のケース本体と、
前記入力部で入力された情報を表示する表示パネルが設けられた第２のケース本体と、
前記第１のケース本体側に配置された状態で該第１のケース本体と前記第２のケース本体とを開閉可能に連結すると共に、第２のケース本体を一定角度以上開いたときに第１のケース本体の下面側に潜り込ませるように回転させるヒンジ部と、
前記平面に接触するように前記第１のケース本体に複数固定された滑り止め用のメイン滑り止め部材と、
前記第２のケース本体が前記一定角度開いたときに、前記平面に接触するように該ケース本体に固定された滑り止め用のサブ滑り止め部材と、を備え、
該サブ滑り止め部材は、前記第２のケース本体が前記一定角度からそれ以上の角度で開いている間、前記メイン滑り止め部材と共に常時前記平面に接触していることを特徴とする折り畳み式携帯用電子機器。
【請求項２】
請求項１に記載の折り畳み式携帯用電子機器において、
前記サブ滑り止め部材は、前記平面に対して線接触するように帯状に固定されていることを特徴とする折り畳み式携帯用電子機器。
【請求項３】
請求項１に記載の折り畳み式携帯用電子機器において、
前記サブ滑り止め部材は、前記平面に対して多点接触するように複数固定されていることを特徴とする折り畳み式携帯用電子機器。
【請求項４】
請求項１から３のいずれか１項に記載の折り畳み式携帯用電子機器において、
前記サブ滑り止め用部材は、前記第２のケース本体に対して引き出し自在に固定されていることを特徴とする折り畳み式携帯用電子機器。
【請求項５】
請求項１から４のいずれか１項に記載の折り畳み式携帯用電子機器において、
前記サブ滑り止め用部材は、前記第２のケース本体が前記一定角度を超えて開くにつれて、前記ヒンジ部の回転中心からの回転半径が漸次大きくなる外形ラインを有するように、表面が湾曲に形成されていることを特徴とする折り畳み式携帯用電子機器。
【請求項６】
請求項１から４のいずれか１項に記載の折り畳み式携帯用電子機器において、
前記サブ滑り止め部材は、前記第２のケース本体が前記一定角度を超えて開く際に、所定角度毎に開き角度が維持されるように、表面が多面状に形成されていることを特徴とする折り畳み式携帯用電子機器。
【発明の詳細な説明】
【技術分野】
【０００１】
本発明は、持ち運び可能であって、ヒンジ部を介して開閉可能な折り畳み式の携帯用電子機器に関するものである。
【背景技術】
【０００２】
現在、携帯電話機、ＰＤＡ等の携帯情報端末、電子辞書やノート型パソコン等、数多くの携帯用電子機器が提供されている。この種の携帯用電子機器のうち、手に持ったまま使用するものと、机上等の平面上に載置した状態で使用するものとがある。いずれの状態で使用する携帯用電子機器であっても、コンパクト化を図るための対策の１つとして、折り畳み式のものが知られている。
【０００３】
このような折り畳み式の携帯用電子機器は、図２２に示すように、一方のケース１００と他方のケース１０１とがヒンジ部１０２を介して略１８０度開閉可能に接続されている構造が一般的である。この際ヒンジ部１０２は、他方のケース１０１を閉じたときに、両ケース１００、１０１から外側に突出した状態で設けられている場合が多い。これは、携帯用電子機器を開けたときに、一方のケース１００と他方のケース１０１とが平らになるようにするためである。
【０００４】
しかしながら、上述したタイプの携帯用電子機器は、小型化が図り難く、より一層のコンパクト化が難しい構造であった。即ち、携帯用電子機器が閉じているときに、ヒンジ部１０２が両ケース１００、１０１から外側に突出している構造であるので、ケース部分の横幅Ｌ１を短く設計したとしてもヒンジ部１０２の出っ張りの影響を受けて、全体の横幅Ｌ２がどうしても長くなってしまう。そのため、コンパクト化を図ることが難しいものであった。
特に、携帯用電子機器を閉じた状態でバックやポケット等に携帯するので、サイズが大きいと邪魔になってしまい、持ち難く、使用者に不快感を与えてしまうものであった。
【０００５】
そこで、ヒンジ部をケースの内側に配置して、該ヒンジ部が外側に出っ張ってしまうことを防止したヒンジ構造が知られている。このヒンジ構造は、各種の製品に採用されており、例えば、携帯電話機（特許文献１参照）や、化粧料や化粧用具を収容する容器（特許文献２参照）等に用いられている。
このヒンジ構造を採用することで、ヒンジ部の出っ張りをなくすことができるので、製品全体の幅を抑えることができ、コンパクト化に繋げることができる。
【特許文献１】特開２００７−１９２２８４号公報
【特許文献２】特開２００５−１９２７０９号公報
【発明の開示】
【発明が解決しようとする課題】
【０００６】
しかしながら、ヒンジ部をケースの内側に配置したヒンジ構造を採用した場合には、図２３に示すように、両ケース１００、１０１を開いたときに、開き角度が一定の角度以上になると、他方のケース１０１が一方のケース１００の下側に潜り込んでしまう。そのため、両ケース１００、１０１の下面が平らにならず、段差がついてしまうものであった。
【０００７】
この点、携帯電話機の場合には、手に持って使用するため、両ケースに段差がついていたとしても何ら問題なく、使用することができる。一方、化粧料や化粧用具を収容する容器の場合には、使用時に両ケースの段差によって机上で斜めになってしまうが、単なる容器として使用するだけであるので、やはり使用にあたって問題ない。
【０００８】
ところが、電子辞書やノートパソコン等のように、机上等の平面上に載置した状態で比較的長時間使用する携帯用電子機器に上記ヒンジ構造を採用した場合には、以下の不都合が生じてしまう。
はじめに、この種の携帯用電子機器は、近年多種多様な機能を内蔵するものが開発されており、使用頻度が高い。そのため、自宅で使用するのは当然のこと、大学等で講義を受ける際や、列車での移動の際等にも使用する場合が多々ある。この際、化粧用具を収容する容器とは違い、一方のケースにキーパッド等の入力部が設けられているので、指先から外力を受け易く机上で滑り易い。よって、一方のケースの下面に滑り止め用のラバーが装着されているのが一般的である。特に、大学等では机が若干斜めになっていたり、列車内の簡易テーブル上では走行時の振動を受けたりするので、滑り易く、ラバーが重要な役割を果している。
【０００９】
しかしながら、上記ヒンジ構造を採用した結果、他方のケースが一方のケースの下面に潜り込んでしまうと、両ケースの段差によって一方のケースが机上から一部浮き上がってしまう。そのため、ラバーが意味をなさず、机上で滑り易くなってしまう。その結果、使用時に実際に滑ってしまって、使用することができなかったり、机上から滑って落下したりする可能性があった。
【００１０】
本発明は、このような事情に考慮してなされたもので、その目的は、コンパクトで携帯性に優れているうえ、机上でも滑らずに安心して使用することができる折り畳み式携帯用電子機器を提供することである。
【課題を解決するための手段】
【００１１】
本発明は、前記課題を解決するたに以下の手段を提供する。
本発明に係る折り畳み式携帯用電子機器は、入力部が設けられ、平面上に載置される第１のケース本体と、前記入力部で入力された情報を表示する表示パネルが設けられた第２のケース本体と、前記第１のケース本体側に配置された状態で該第１のケース本体と前記第２のケース本体とを開閉可能に連結すると共に、第２のケース本体を一定角度以上開いたときに第１のケース本体の下面側に潜り込ませるように回転させるヒンジ部と、前記平面に接触するように前記第１のケース本体に複数固定された滑り止め用のメイン滑り止め部材と、前記第２のケース本体が前記一定角度開いたときに、前記平面に接触するように該ケース本体に固定された滑り止め用のサブ滑り止め部材と、を備え、該サブ滑り止め部材が、前記第２のケース本体が前記一定角度からそれ以上の角度で開いている間、前記メイン滑り止め部材と共に常時前記平面に接触していることを特徴とするものである。
【００１２】
この発明に係る折り畳み式携帯用電子機器においては、まず第１のケース本体と第２のケース本体とを開閉可能に連結するヒンジ部が、第１のケース本体側に配置されている。そのため、ヒンジ部の出っ張りを抑えることができ、コンパクト化を図ることができる。従って、未使用時における携帯性に優れている。
【００１３】
一方、使用する場合には、まず第１のケース本体を机上等の平面上に載置する。この際、第１のケース本体には、メイン滑り止め部材が複数固定されているので、折り畳み式携帯用電子機器自体が平面上で滑ることがない。続いて、ヒンジ部を介して第２のケース本体を回転させて、徐々に開かせる。すると、第２のケース本体は、第１のケース本体側に配置されたヒンジ部の影響を受けて、一定角度以上開くと第１のケース本体の下面側に潜り込むように回転する。そのため、第１のケース本体は、潜り込んだ第２のケース本体によって持ち上げられるので、ヒンジ部側の下面が平面上から浮いた状態となる。よって、複数のメイン滑り止め部材のうち、ヒンジ部側に固定された一部が同様に浮いてしまい、平面から離れてしまう。
【００１４】
ところが、第２のケース本体が一定角度開いた時点で、サブ滑り止め部材が平面に接触する。つまり、メイン滑り止め部材の一部が浮いたと同時に、サブ滑り止め部材が平面に接触して、メイン滑り止め部材の代わりに滑り止め機能の役割を果たす。しかも、このサブ滑り止め部材は、第２のケース本体が一定角度以上開いている間、常時平面に接触している。
そのため、第２のケース本体が一定角度からそれ以上の角度で開いている間は、平面から浮かずに依然として該平面に接触し続けているメイン滑り止め部材の残りの一部と、サブ滑り止め部材とが、平面に確実に接触する。よって、第２のケース本体を閉じていたときと同じように、確実な滑り止め機能を発揮させることができる。
【００１５】
従って、第１のケース本体に設けられた入力部で入力操作を行ったとしても、滑ることがないので、安心して確実な入力操作を行うことができる。よって、利便性を向上することができ、使用者にとって扱い易い高品質な電子機器とすることができる。
また、第２のケース本体を一定角度以上開くと、第１のケース本体は、該第２のケース本体によって持ち上げられるので平面に対して傾斜した状態となる。つまり、第２のケース本体を開いただけで、入力部が設けられた面が自然と傾いた面となる。よって、使用者は、入力操作を非常に行い易い。加えて、表示パネルが設けられた第２のケース本体も同様に傾斜するので、使用者は表示パネルを視認し易い。これらの点においても、使用者にとって扱い易い高品質な電子機器とすることができる。
【００１６】
また、本発明に係る折り畳み式携帯用電子機器は、上記本発明の折り畳み式携帯用電子機器において、前記サブ滑り止め部材が、前記平面に対して線接触するように帯状に固定されていることを特徴とするものである。
【００１７】
この発明に係る折り畳み式携帯用電子機器においては、サブ滑り止め部材が平面に対して線接触するので、使用中での姿勢がより安定する。よって、滑り止め機能をより効率良く発揮することができる。
【００１８】
また、本発明に係る折り畳み式携帯用電子機器は、上記本発明の折り畳み式携帯用電子機器において、前記サブ滑り止め部材が、前記平面に対して多点接触するように複数固定されていることを特徴とするものである。
【００１９】
この発明に係る折り畳み式携帯用電子機器においては、サブ滑り止め部材が平面に対して多点接触するので、使用中での姿勢が安定する。よって、滑り止め機能をより効率良く発揮することができる。
【００２０】
また、本発明に係る折り畳み式携帯用電子機器は、上記本発明の折り畳み式携帯用電子機器において、前記サブ滑り止め用部材が、前記第２のケース本体に対して引き出し自在に固定されていることを特徴とするものである。
【００２１】
この発明に係る折り畳み式携帯用電子機器においては、サブ滑り止め部材を第２のケース本体から引き出すことができるので、第１のケース本体の持ち上げ量を変化させることができる。つまり、第１のケース本体の傾斜角度を、状況に応じて変化させることができる。例えば、サブ滑り止め部材の引き出し量を多くするほど、傾斜角度を大きくすることができる。従って、使用者は、自分にあった最適な傾斜角度で入力操作を行うことができる。よって、操作性をさらに高めることができる。
【００２２】
また、本発明に係る折り畳み式携帯用電子機器は、上記本発明の折り畳み式携帯用電子機器において、前記サブ滑り止め用部材が、前記第２のケース本体が前記一定角度を超えて開くにつれて、前記ヒンジ部の回転中心からの回転半径が漸次大きくなる外形ラインを有するように、表面が湾曲に形成されていることを特徴とするものである。
【００２３】
この発明に係る折り畳み式携帯用電子機器においては、サブ滑り止め用部材がカムの如く形成されているので、前記第２のケース本体を一定角度以上開くにつれて、第１のケース本体の持ち上げ量を大きくすることができる。つまり、第２のケース本体の開き角度を調整するだけで、傾斜角度を大きくすることができる。従って、使用者は、自分にあった最適な傾斜角度で入力操作を行うことができる。よって、操作性をさらに高めることができる。
【００２４】
また、本発明に係る折り畳み式携帯用電子機器は、上記本発明の折り畳み式携帯用電子機器において、前記サブ滑り止め部材が、前記第２のケース本体が前記一定角度を超えて開く際に、所定角度毎に開き角度が維持されるように、表面が多面状に形成されていることを特徴とするものである。
【００２５】
この発明に係る折り畳み式携帯用電子機器においては、サブ滑り止め用部材の表面が多面状に形成されているので、第２のケース本体を一定角度以上開く際に、所定角度毎に姿勢が安定する。つまり、第２のケース本体の開き角度を変更する度に、サブ滑り止め用部材の各一面が平面に順次面接触するので、その都度姿勢が安定する。そのため、ブレ等がなく第２のケース本体をより静止させることができる。従って、表示パネルが見易くなり、視認性を向上することができる。
更に、サブ滑り止め用部材が平面に対して面接触するので、接触抵抗を増すことができる。従って、滑り止め効果をより一層高めることができる。
【発明の効果】
【００２６】
本発明に係る折り畳み式携帯用電子機器によれば、コンパクトで携帯性に優れているうえ、机上等の平面上でも滑らずに安心して使用することができ、確実な入力操作を行うことができる。よって、使いやすい、高品質な電子機器とすることができる。
【発明を実施するための最良の形態】
【００２７】
以下、本発明に係る折り畳み式携帯用電子機器の一実施形態を、図１から図２１を参照して説明する。なお、本実施形態では、折り畳み式携帯用電子機器の一例として、電子辞書を例に挙げて説明する。
【００２８】
本実施形態の電子辞書１は、図１から図４に示すように、ボトムケース（第１のケース本体）２と、トップケース（第２のケース本体）３とが、ヒンジ部４を介して開閉可能に連結された折り畳み式のもので、持ち運び可能な小型の携帯用電子機器である。つまり、不使用時にはトップケース３を閉じて折り畳むことができ、薄型でコンパクトなサイズにして、例えばバック等に容易に収納して携帯することができるようになっている。また、使用時には、ボトムケース２に対してトップケース３を回転させることで、使用者の目線に合うようにトップケース３の角度を調整でき、使い易い設計となっている。
なお、この電子辞書１は、ボトムケース２を机上等の平面Ｓ上に載置した状態で使用されるものである。
【００２９】
ボトムケース２及びトップケース３の一部は、共にプラスチックや、アルミ、ステンレス等の金属材料により薄型の箱状に形成されている。このうち、ボトムケース２には、指先で押下可能な複数のキー１０ａが所定の鍵盤配列（キーボード配列）で整列されたキーパッド１０と、やはり指先で押下可能な複数のファンクションキー１１及び各種の機能ボタン１２と、からなる入力部１３が設けられている。
一方、トップケース３には、上記入力部１３で入力された各種の情報を表示する表示パネル１４が略全面に亘って設けられており、透明な保護カバー（例えば、プラスチック等の樹脂性のカバー）を通じて視認できるようになっている。なお、この表示パネル１４は、例えば５インチ程度のカラー或いはモノクロの液晶パネルである。また、保護カバー１５は、必須なものではない。
【００３０】
また、ボトムケース２内には、図５に示すように制御部２０、メモリ２１、充電池２２やスピーカ２３等が実装された回路基板２４が内蔵されている。制御部２０は、ＣＰＵ等の演算処理部、電子辞書１としての各種のプログラム等が記憶されているＲＯＭ、一時記憶媒体であるＲＡＭ、表示パネル１４の制御を行う表示制御部等を有している。そして制御部２０は、キーパッド１０の複数のキー１０ａやファンクションキー１１や機能ボタン１２が押下されたときに回路基板２４を介して送られてくる信号に基づいて、各構成品を総合的に制御して電子辞書１として各種機能を作動させるようになっている。
【００３１】
また、制御部２０は、メモリ２１に記憶されている音声情報をスピーカ２３から音声出力させる機能を有している。なお、スピーカ２３から出力された音声は、図３及び図４に示すように、ボトムケース２の表面に設けられた複数の音孔２ａから外部に出力されるようになっている。これにより、例えば、検索した外国語を正しい音声（ネイティブ音声）で聞いて学習することも可能とされている。この際、制御部２０は、音声出力の情報を表示パネル１４にも表示している。そのため、使用者は、目と耳とで検索内容を確認することができるようになっている。なお制御部２０は、音声出力の情報だけなく、指先で押下したキー１０ａを表示したり、その他各種情報（例えば、辞書の内容、単語の検索内容、充電池２２の残量、時刻や日付等）を表示したりすることが可能とされている。
【００３２】
上記ヒンジ部４は、ボトムケース２とトップケース３とを連結させたときに、図３に示すように、ボトムケース２側に配置されるように設けられている。このヒンジ部４は、トップケース３を閉じた状態から一定角度（略９０度）開いたときに、ボトムケース２の下面側に潜り込ませるように回転させるようになっている。
【００３３】
また、ボトムケース２の下面には、平面Ｓに接触する滑り止めラバー（メイン滑り止め部材）３０が複数固定されている。この滑り止めラバー３０は、所定の摩擦係数を有するラバーであり、本実施形態では、ヒンジ部４側に２箇所、キーパッド１０側に２箇所の計４つ固定されている場合を例に示す。但し、４つに限定されるものではない。
【００３４】
同様に、図１及び図２に示すように、トップケース３にも滑り止めラバー（サブ滑り止め部材）３１が固定されている。この滑り止めラバー３１は、上面から端面に亘って固定されており、トップケース３が一定角度開いたときに平面Ｓに接触するようになっている。つまり、滑り止めラバー３１は、トップケース３が一定角度からそれ以上の角度で開いている間（略９０度から１８０度開いている間）、ボトムケース２側の滑り止めラバー３０と共に常時平面Ｓに接触するようになっている。
なお、本実施形態の滑り止めラバー３１は、トップケース３の幅方向に沿って間隔を空けて２つ固定されている。よって、平面Ｓに対して多点接触するようになっている。
【００３５】
なお、トップケース３側の滑り止めラバー３１と、ボトムケース２側の滑り止めラバー３０と、をそれぞれ同じ材質の材料で形成しても構わないし、材質の異なる異種材料で形成しても構わない。所定の摩擦係数を有し、滑り止め効果が期待できる材料であれば、自由に選択してそれぞれを形成して構わない。
特に、本実施形態では、滑り止めラバー３０及び滑り止めラバー３１をそれぞれ複数固定している場合を例にしているが、同じ滑り止めラバー同士であったとしても、取り付け位置によって材料をかえても構わない。最大の滑り止め効果を発揮させるために、状況に応じて材料を適宜使い分けて構わない。
【００３６】
次に、このように構成された電子辞書１を使用する場合について、以下に説明する。
はじめに、使用する前の状態を簡単に説明すると、本実施形態の電子辞書１は、ボトムケース２とトップケース３とを開閉可能に連結するヒンジ部４が、ボトムケース２側に配置されている。そのため、ヒンジ部４の出っ張りを抑えることができ、コンパクト化を図ることができる。
この点、図面を参照して説明する。図６に示す上段は、外側に突出したヒンジ部４を仮に採用した場合の電子辞書であり、下段は本実施形態の電子辞書１を示す。図６に示すように、両ケース２、３を閉じている未使用時において、ヒンジ部４が外側に出っ張っていた距離Ｌ３をなくすことができる。
【００３７】
加えて、ヒンジ部４がボトムケース２側に配置されているので、トップケース３に設けられている表示パネル１４の位置をヒンジ部４側（紙面に対して右側）にずらすことができる。
詳細に説明すると、外側に突出するヒンジ構造を採用した場合には、図７に示すように、トップケース３の一端側にヒンジ部４用の切り欠き孔３ａを形成する必要がある。そのため、表示パネル１４を配置する際に、この切り欠き孔３ａを考慮してトップケース３の下端から距離Ｌ４を空けて表示パネル１４を配置せざるを得なかった。
これに対して、本実施形態の場合には、上記切り欠き孔３ａが不要であるので、図８に示すように、上記距離Ｌ４より遥かに小さい距離Ｌ５をトップケース３の下端から空けるだけで、表示パネル１４を配置することができる。つまり、距離Ｌ４と距離Ｌ５との差だけ表示パネル１４をトップケース３の下端側にずらした状態で配置することができる。よって、その分だけトップケース３の横幅を短くすることができる。
【００３８】
その結果、図６に示すように、トップケース３の横幅を従来よりも距離Ｌ６だけ短くすることができる。従って、電子辞書１全体の横幅をＬ７からＬ８に短くすることができ、コンパクト化を図ることができる。従って、未使用時における携帯性を向上することができる。
【００３９】
次に電子辞書１を使用する場合について、説明する。
まず、図９に示すように、ボトムケース２を机上等の平面Ｓ上に載置する。この際、ボトムケース２には、４つの滑り止めラバー３０が固定されているので、これら４つの滑り止めラバー３０の接触によって、電子辞書１が平面Ｓ上で滑ることがない。
続いて、閉じているトップケース３を、ヒンジ部４を介して回転させて徐々に開かせる。すると、トップケース３は、ボトムケース２側に配置されているヒンジ部４の影響を受けて、図１０に示す一定角度開いた状態からそれ以上の角度が開くと、図１１に示すように、ボトムケース２の下面側に潜り込むように回転する。そのため、ボトムケース２は、潜り込んだトップケース３によって持ち上げられるので、ヒンジ部４側の下面が平面Ｓ上から浮いた状態となる。よって、４つの滑り止めラバー３０のうち、ヒンジ部４側に固定された２つの滑り止めラバー３０が同様に浮いてしまい、平面Ｓから離れてしまう。
【００４０】
ところが、図１０に示すように、トップケース３が一定角度開いた時点で、該トップケース３に固定されている滑り止めラバー３１が平面Ｓに接触する。つまり、ボトムケース２側の滑り止めラバー３０の一部（ヒンジ部４側の２つ）が浮いたと同時に、トップケース３側の滑り止めラバー３１が平面Ｓに接触して、浮いてしまった滑り止めラバー３０の代わりに滑り止め機能の役割を果す。しかも、トップケース３側の滑り止めラバー３１は、図１１に示すように、トップケース３が一定角度以上開いている間、常時平面Ｓに接触している。
【００４１】
そのため、トップケース３が一定角度からそれ以上の角度で開いている間は、平面Ｓから浮かずに依然として該平面Ｓに接触し続けているボトムケース２側の滑り止めラバー３０の残り２つと、トップケース３側の滑り止めラバー３１とが、平面Ｓに確実に接触する。よって、トップケース３を閉じていたときと同じように、確実な滑り止め機能を発揮させることができる。
特に、トップケース３側の滑り止めラバー３１は、２つあるので、平面Ｓに多点接触する。従って、電子辞書１がぐらつくことなく、姿勢が安定する。よって、滑り止め機能をより効率良く発揮させることができる。
【００４２】
その結果、ボトムケース２に設けられたキートップ１０等の入力部１３で入力操作を行ったとしても、電子辞書１自体が平面Ｓ上で滑ることがないので、安心して確実な操作を行うことができる。よって、利便性を向上することができ、使用者にとって扱い易い高品質な電子機器とすることができる。
また、トップケース３を一定角度以上開くと、ボトムケース２はトップケース３によって持ち上げられるので、平面Ｓに対して傾斜角度θで傾斜した状態となる。つまり、トップケース３を開いただけで、入力部１３が設けられた面が自然と傾いた状態となる。よって、使用者は、入力操作を非常に行い易い。加えて、表示パネル１４が設けられたトップケース３も同様に傾斜するので、使用者は表示パネル１４を視認し易い。これらの点においても、使用者にとって扱い易い高品質な電子機器とすることができる。
【００４３】
なお、上記実施形態では、トップケース３側に滑り止めラバー３１を２つ固定した場合を例に挙げて説明したが、この場合に限定されるものではない。例えば、図１２及び図１３に示すように、滑り止めラバー３１を１つだけ固定しても構わない。但し、トップケース３を開けて、この滑り止めラバー３１が平面Ｓに接触したときに、１点だけで接触した状態となってしまう。そのため、安定性の点において、１つだけ固定するよりも、上記実施形態のように間隔を空けて２つ固定することが好ましい。或いは、３つ以上、固定しても構わない。つまり、滑り止めラバー３１が平面Ｓに対して多点接触するように構成することが好ましい。
なお、平面Ｓに対して点接触するように滑り止めラバー３１を形成（例えば、滑り止めラバー３１の先端を球面のように形成）し、これらをトップケース３に複数固定した場合も、複数の点接触を確保することができるので、やはり多点接触の構成に含まれる。
【００４４】
更には、図１４及び図１５に示すように、平面Ｓに対して線接触するように、滑り止めラバー３１を帯状に固定しても構わない。この場合であっても、滑り止めラバー３１を２つ固定した場合と同様に、トップケース３を開けたときの姿勢が安定する。従って、上記実施形態と同様の作用効果を奏することができる。
【００４５】
また、上記実施形態において、滑り止めラバー３１を、図１６に示すように、トップケース３に対して引き出し自在に固定させても構わない。なお、図１６では、帯状に形成された滑り止めラバー３１を図示している。
引き出し自在にするためには、例えば図１７に示すように、滑り止めラバー３１にガイド板３１ａとストッパ３１ｂとを一体的に形成すれば良い。そして、トップケース３側に図示しないガイド孔を形成し、該ガイド孔内でガイド板３１ａがスライドするように滑り止めラバー３１を取り付ければよい。このように構成することで、使用者が滑り止めラバー３１を自在に引き出すことができる。なお、最大限引き出したときに、ストッパ３１ｂがトップケース３の内面に接触するので、滑り止めラバー３１が抜け落ちてしまうことがない。
【００４６】
このように、滑り止めラバー３１を引き出し自在にすることで、ボトムケース２の持ち上げ量を変化させることができる。つまり、図１１に示すボトムケース２の傾斜角度θを、状況に応じて変化させることができる。例えば、滑り止めラバー３１の引き出し量を多くするほど、傾斜角度θを大きくすることができる。従って、使用者は、自分にあった最適な傾斜角度θで入力操作を行うことができる。よって、操作性をさらに高めることができる、
【００４７】
また、上記実施形態において、滑り止めラバー３１を、図１８に示すように、カムの役割を果すように表面を湾曲させても構わない。具体的には、トップケース３が一定角度を越えて開くにつれて、ヒンジ部４の回転中心Ｇからの回転半径Ｒが漸次大きくなる外形ラインを有するように、表面を湾曲させても構わない。
このように、滑り止めラバー３１をカムの如く形成することで、図１９に示すように、トップケース３を一定角度以上開くにつれて、ボトムケース２の持ち上げ量を大きくすることができる。つまり、トップケース３の開き角度を調整するだけで、ボトムケース２の傾斜角度θを徐々に大きくすることができる。従って、使用者は、自分にあった最適な傾斜角度θで入力操作を行うことができ、操作性をさらに高めることができる。
【００４８】
また、上記実施形態において、滑り止めラバー３１を、図２０に示すように、表面を多面状に形成しても構わない。
このように滑り止めラバー３１を多面状に形成することで、トップケース３を一定角度以上開く際に、図２１に示すように、所定角度毎に姿勢が安定する。つまり、トップケース３の開き角度を変更する度に、滑り止めラバー３１の各一面が平面Ｓに順次面接触するので、その都度姿勢が安定する。そのため、ブレ等がなくトップケース３をより静止させることができる。従って、表示パネル１４が見易くなり、視認性を向上することができる。更に、滑り止めラバー３１が平面Ｓに対して面接触するので、接触抵抗を増すことができる。従って、滑り止め効果をより一層高めることができる。
【００４９】
なお、本発明の技術範囲は上記実施の形態に限定されるものではなく、本発明の趣旨を逸脱しない範囲において種々の変更を加えることが可能である。
【００５０】
例えば、上記各実施形態においては、携帯用電子機器を電子辞書１として説明したが、電子辞書１に限られるものではなく、机上等の平面Ｓ上に載置して使用する折り畳み式のものであれば、特に限定されるものではない。例えば、ＰＤＡ等の携帯情報端末や、ノート型パソコン等でも構わない。
また、滑り止め用部材の一例として、滑り止めラバー３０、３１を例に挙げて説明したが、ラバーに限定されるものではない。例えば、所定の粘性を有する樹脂材料を用いて形成しても構わない。
【図面の簡単な説明】
【００５１】
【図１】本発明に係る折り畳み式携帯用電子機器の一実施形態を示す図であって、閉じた状態を前方側から見た外観斜視図である。
【図２】図１に示す折り畳み式携帯用電子機器を後方側から見た外観斜視図である。
【図３】図１に示す折り畳み式携帯用電子機器を開けた状態の外観斜視図である。
【図４】図３に示す状態において、ボトムケースとトップケースとの接続を切り離した際の分解斜視図である。
【図５】図１に示す折り畳み式携帯用電子機器の機能ブロック図である。
【図６】図１に示す折り畳み式携帯用電子機器が閉じている時のサイズを比較するための図であって、上段が外側に突出したヒンジ部を採用した場合の電子機器の断面図であり、下段が図１に示す折り畳み式携帯用電子機器の断面図である。
【図７】外側に突出したヒンジ部を採用した場合のトップケースの正面図である。
【図８】図１に示す折り畳み式携帯用電子機器を構成するトップケースの正面図である。
【図９】図１に示す折り畳み式携帯用電子機器を平面上に載置した状態の側面図である。
【図１０】図９に示す状態から、トップケースを略９０度開いた状態の側面図である。
【図１１】図１０に示す状態から、さらにトップケースを開いた状態の側面図である。
【図１２】図１に示す折り畳み式携帯用電子機器の変形例であって、トップケース側のサブ滑り止め部材が１つの場合の電子機器を前方側から見た外観斜視図である。
【図１３】図１２に示す折り畳み式携帯用電子機器を後方側から見た外観斜視図である。
【図１４】図１に示す折り畳み式携帯用電子機器の変形例であって、トップケース側のサブ滑り止め部材が帯状に形成されている場合の電子機器を前方側から見た外観斜視図である。
【図１５】図１４に示す折り畳み式携帯用電子機器を後方側から見た外観斜視図である。
【図１６】図１に示す折り畳み式携帯用電子機器の変形例であって、トップケース側のサブ滑り止め部材が飛び出し自在に固定されている場合の斜視図である。
【図１７】図１６に示すサブ滑り止め部材の斜視図である。
【図１８】図１に示す折り畳み式携帯用電子機器の変形例であって、トップケース側のサブ滑り止め部材がカム状に形成されている場合の電子機器の側面図である。
【図１９】（ａ）は、図１８に示す状態からトップケースを開いた状態の側面図であり、（ｂ）は（ａ）の状態からさらにトップケースを開いた状態の側面図である。
【図２０】図１に示す折り畳み式携帯用電子機器の変形例であって、トップケース側のサブ滑り止め部材が多面状に形成されている場合の部分的な拡大側面図である。
【図２１】図２０に示す状態からトップケースを開いた状態の側面図である。
【図２２】外側に突出したヒンジ部を有する従来の折り畳み式携帯用電子機器の側面図である。
【図２３】一方のケースの内側に配置されたヒンジ部を有する従来の折り畳み式携帯用電子機器の側面図である。
【符号の説明】
【００５２】
Ｇ…ヒンジ部の回転中心
Ｓ…平面
１…電子辞書（折り畳み式携帯用電子機器）
２…ボトムケース（第１のケース本体）
３…トップケース（第２のケース本体）
４…ヒンジ部
１３…入力部
１４…表示パネル
３０…滑り止めラバー（メイン滑り止め部材）
３１…滑り止めラバー（サブ滑り止め部材）
【図１】
2009181280.tif 000003
【図２】
2009181280.tif 000004
【図３】
2009181280.tif 000005
【図４】
2009181280.tif 000006
【図５】
2009181280.tif 000007
【図６】
2009181280.tif 000008
【図７】
2009181280.tif 000009
【図８】
2009181280.tif 000010
【図９】
2009181280.tif 000011
【図１０】
2009181280.tif 000012
【図１１】
2009181280.tif 000013
【図１２】
2009181280.tif 000014
【図１３】
2009181280.tif 000015
【図１４】
2009181280.tif 000016
【図１５】
2009181280.tif 000017
【図１６】
2009181280.tif 000018
【図１７】
2009181280.tif 000019
【図１８】
2009181280.tif 000020
【図１９】
2009181280.tif 000021
【図２０】
2009181280.tif 000022
【図２１】
2009181280.tif 000023
【図２２】
2009181280.tif 000024
【図２３】
2009181280.tif 000025